(57)【要約】【課題】予約炊飯機能を備えた炊飯器において、予約時刻設定中に予約炊飯可能時間を外れているということを使用者に知らせ、誤操作を改善する。【解決手段】予約設定開始手段３により予約炊飯時刻の設定を開始し、予約時刻設定手段４により予約炊飯の終了時刻を設定し、予約設定確定手段５により予約設定を確定し、制御手段６により指定時刻に炊飯を行う予約炊飯動作を制御するよう構成する。表示手段７は時刻を表示する時刻表示手段７ａと外部に注意を促す注意表示手段７ｂを有し、制御手段６は、予約設定開始手段３から制御手段６へ信号が伝達された時刻を記憶する記憶手段６ａを有し、その時刻から予約時刻設定手段４により設定中の時刻までが予約時刻設定が可能でない場合、注意表示手段７ｂに注意表示をする。【選択図】　図１
2004008299.tif 000002
【特許請求の範囲】
【請求項１】
指定時刻に炊飯を行う予約炊飯動作を制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段と外部に注意を促す注意表示手段を有する表示手段とを備え、前記制御手段は、予約設定開始手段から制御手段へ信号が伝達された時刻を記憶する記憶手段を有し、その時刻から予約時刻設定手段により設定中の時刻までが予約時刻設定が可能でない場合、前記注意表示手段に注意表示をするようにした炊飯器。
【請求項２】
表示手段は、時刻を表示する時刻表示手段と予約時刻設定可能な時間を表示する設定可能時刻表示手段を備え、予約時刻設定中に、予約設定開始手段から制御手段へ信号が伝達された時刻に対し、予約時刻設定可能な時間を前記設定可能時刻表示手段に表示するようにした請求項１記載の炊飯器。
【請求項３】
外部に音で報知する報知手段を備え、予約設定開始手段から制御手段へ信号が伝達された時刻に対し、予約時刻設定手段により設定中の時刻が予約時刻設定可能でない場合、前記報知手段により報知するようにした請求項１または２記載の炊飯器。
【発明の詳細な説明】
【０００１】
【発明の属する技術分野】
本発明は、予約炊飯機能を備えた炊飯器に関するものである。
【０００２】
【従来の技術】
従来、この種の炊飯器は図４に示すように構成していた。以下、その構成について説明する。
【０００３】
図４に示すように、表示手段１は炊飯器の状態を外部に対して表示するもので、現在の時刻および予約設定時には予約炊飯完了時刻を表示する時刻表示手段１ａを有している。予約設定開始手段３は予約炊飯の設定を開始する信号を制御手段２へ送るもので、予約時刻設定手段４は予約炊飯終了時刻を設定するものであり、予約設定確定手段５は予約設定を確定する信号を制御手段２へ送るものである。
【０００４】
制御手段２は炊飯器の状態を制御するもので、予約設定開始手段３から制御手段２に信号が送られた時刻を記憶する記憶手段２ａを有している。
【０００５】
上記構成において動作を説明する。予約設定開始手段３から制御手段２に信号が送られると、予約設定が開始される。このとき、記憶手段２ａは予約設定開始手段３から制御手段２に信号が送られた時刻を記憶する。つぎに、予約時刻設定手段にて予約炊飯終了時刻を設定する。このとき、予約炊飯終了時刻は時刻表示手段１ａに表示される。
【０００６】
そこで、予約設定確定手段５により制御手段２に信号が送られると、制御手段２は記憶手段２ａと予約時刻設定手段４により設定された時刻を比較し、予約炊飯設定可能時間であるかを判断し、予約炊飯設定を確定する。
【０００７】
【発明が解決しようとする課題】
しかしながら予約炊飯設定において、炊飯に必要な最低限の時間は必要であり、上記のような動作における予約炊飯設定では、予約設定確定手段５から制御手段２へ信号が送られるまで、予約時刻設定手段４により設定された時刻が予約炊飯可能時間であるかを明確に認識することができず、予約炊飯設定における誤操作が発生するという問題があった。
【０００８】
本発明は上記課題を解決するもので、予約時刻設定中に予約炊飯可能時間を外れているということを使用者に知らせ、誤操作を改善することを目的としている。
【０００９】
【課題を解決するための手段】
本発明は上記目的を達成するために、予約設定開始手段により予約炊飯時刻の設定を開始し、予約時刻設定手段により予約炊飯の終了時刻を設定し、予約設定確定手段により予約設定を確定し、制御手段により指定時刻に炊飯を行う予約炊飯動作を制御するよう構成し、表示手段は時刻を表示する時刻表示手段と外部に注意を促す注意表示手段を有し、制御手段は、予約設定開始手段から制御手段へ信号が伝達された時刻を記憶する記憶手段を有し、その時刻から予約時刻設定手段により設定中の時刻までが予約時刻設定が可能でない場合、注意表示手段に注意表示をするようにしたものである。
【００１０】
これにより、予約時刻設定中に予約炊飯可能時間を外れているということを使用者に知らせ、誤操作を改善することができる。
【００１１】
【発明の実施の形態】
本発明の請求項１に記載の発明は、指定時刻に炊飯を行う予約炊飯動作を制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段と外部に注意を促す注意表示手段を有する表示手段とを備え、前記制御手段は、予約設定開始手段から制御手段へ信号が伝達された時刻を記憶する記憶手段を有し、その時刻から予約時刻設定手段により設定中の時刻までが予約時刻設定が可能でない場合、前記注意表示手段に注意表示をするようにしたものであり、予約時刻設定手段により設定中の時刻が予約時刻設定可能でない場合、注意表示手段に表示をすることにより、予約炊飯可能時間を外れているということを使用者に知らせることができ、誤操作を改善することができる。
【００１２】
請求項２に記載の発明は、上記請求項１に記載の発明において、表示手段は、時刻を表示する時刻表示手段と予約時刻設定可能な時間を表示する設定可能時刻表示手段を備え、予約時刻設定中に、予約設定開始手段から制御手段へ信号が伝達された時刻に対し、予約時刻設定可能な時間を前記設定可能時刻表示手段に表示するようにしたものであり、予約時刻設定中に、予約時刻設定可能な時間を設定可能時刻表示手段に表示することにより、予約炊飯設定可能時間を使用者に知らせることができ、誤操作を改善することができる。
【００１３】
請求項３に記載の発明は、上記請求項１または２に記載の発明において、外部に音で報知する報知手段を備え、予約設定開始手段から制御手段へ信号が伝達された時刻に対し、予約時刻設定手段により設定中の時刻が予約時刻設定可能でない場合、前記報知手段により報知するようにしたものであり、予約炊飯設定時刻が予約炊飯設定可能時間から外れていることを聴覚的にも使用者に知らせることができ、誤操作を改善することができる。
【００１４】
【実施例】
以下、本発明の実施例について、図面を参照しながら説明する。
【００１５】
（実施例１）
図１に示すように、予約設定開始手段３は予約炊飯時刻の設定を開始することを制御手段６へ伝えるもので、予約時刻設定手段４は予約炊飯の終了時刻を設定するものであり、予約設定確定手段５は予約設定を確定することを制御手段６へ伝えるものである。
【００１６】
制御手段６は、指定時刻に炊飯を行う予約炊飯動作を制御するもので、予約設定開始手段３から制御手段６に信号が送られた時刻を記憶する記憶手段６ａを有している。表示手段７は炊飯器の状態を表示するもので、現在の時刻および予約設定時には予約炊飯完了時刻を表示する時刻表示手段７ａと外部に注意を促す注意表示手段７ｂを有している。
【００１７】
上記構成において動作を説明する。予約設定開始手段３から制御手段６に信号が送られると予約設定が開始される。このとき、予約炊飯終了時刻は時刻表示手段７ａに表示され、記憶手段６ａは予約設定開始手段３から制御手段６に信号が送られた時刻を記憶する。また、記憶手段６ａに記憶された時刻に対し、予約時刻設定手段４にて設定中の予約炊飯終了時刻が予約可能な時間でない場合、制御手段６は注意表示手段７ｂに注意表示をする。
【００１８】
つぎに、予約時刻設定手段４にて予約炊飯終了時刻を設定する。ここで、予約時刻設定手段４にて予約炊飯終了時刻の設定を変化させ、記憶手段６ａに記憶された時刻に対し、予約時刻設定手段４にて設定中の予約炊飯終了時刻が予約可能な時間になった場合、制御手段６は注意表示手段１ｂの注意表示を解除する。
【００１９】
そこで、予約設定確定手段５により制御手段６に信号が送られると、制御手段６は記憶手段６ａと予約時刻設定手段４により設定された時刻を比較し、予約炊飯設定可能時間であるかを再度確認し、予約炊飯設定を確定する。
【００２０】
このように本実施例によれば、予約時刻設定手段４により設定中の時刻が予約時刻設定可能でない場合、注意表示手段７ｂに表示をすることにより、予約炊飯可能時間を外れているということを使用者に知らせることができ、誤操作を改善することができる。
【００２１】
（実施例２）
図２に示すように、制御手段８は、指定時刻に炊飯を行う予約炊飯動作を制御するもので、予約設定開始手段３から制御手段８へ信号が伝達された時刻を記憶する記憶手段８ａを有している。表示手段９は炊飯器の状態を表示するもので、現在の時刻および予約設定時には予約炊飯完了時刻を表示する時刻表示手段９ａと、外部に注意を促す注意表示手段９ｂと、記憶手段８ａに対する予約時刻設定可能時間を表示する設定可能時間表示手段９ｃとを有している。他の構成は上記実施例１と同じであり、同一符号を付して説明を省略する。
【００２２】
上記構成において動作を説明する。予約設定開始手段３から制御手段８に信号が送られると予約設定が開始される。このとき、記憶手段８ａは予約設定開始手段３から制御手段８に信号が送られた時刻を記憶する。表示手段９は時刻表示手段９ａに予約時刻設定時間を表示し、設定可能時刻表示手段９ｃに記憶手段８ａに対する予約時刻設定可能時間を表示する。また、記憶手段８ａに記憶された時刻に対し、予約時刻設定手段４にて設定中の予約炊飯終了時刻が予約可能な時間でない場合、制御手段８は注意表示手段９ｂに注意表示をする。
【００２３】
つぎに、予約時刻設定手段４にて予約炊飯終了時刻を設定する。ここで、予約時刻設定手段４にて予約炊飯終了時刻の設定を変化させ、記憶手段８ａに記憶された時刻に対し、予約時刻設定手段４にて設定中の予約炊飯終了時刻が予約可能な時間になった場合、制御手段８は注意表示手段９ｂの注意表示を解除する。
【００２４】
そこで、予約設定確定手段５により制御手段８に信号が送られると、制御手段８は記憶手段８ａと予約時刻設定手段４により設定された時刻を比較し、予約炊飯設定可能時間であるかを再度確認し予約炊飯設定を確定する。
【００２５】
このように本実施例によれば、予約時刻設定中に、予約時刻設定可能な時間を設定可能時刻表示手段９ｃに表示することにより、予約炊飯設定可能時間を使用者に知らせることができ、誤操作を改善することができる。
【００２６】
（実施例３）
図３に示すように、制御手段１０は、指定時刻に炊飯を行う予約炊飯動作を制御するもので、予約設定開始手段３から制御手段１０へ信号が伝達された時刻を記憶する記憶手段１０ａを有している。報知手段１１は外部に音で報知することができるものである。他の構成は上記実施例２と同じであり、同一符号を付して説明を省略する。
【００２７】
上記構成において動作を説明する。予約設定開始手段３から制御手段１０に信号が送られると予約設定が開始される。このとき、記憶手段１０ａは予約設定開始手段３から制御手段１０に信号が送られた時刻を記憶する。表示手段９は時刻表示手段９ａに予約時刻設定時間を表示し、設定可能時刻表示手段９ｃに記憶手段１０ａに対する予約時刻設定可能時間を表示する。また、記憶手段１０ａに記憶された時刻に対し、予約時刻設定手段４にて設定中の予約炊飯終了時刻が予約可能な時間でない場合、制御手段１０は注意表示手段９ｂに注意表示をし、さらに報知手段１１で使用者に報知する。
【００２８】
つぎに、予約時刻設定手段４にて予約炊飯終了時刻を設定する。ここで、予約時刻設定手段４にて予約炊飯終了時刻の設定を変化させ、記憶手段１０ａに記憶された時刻に対し、予約時刻設定手段４にて設定中の予約炊飯終了時刻が予約可能な時間になった場合、制御手段１０は注意表示手段９ｂの注意表示を解除し、報知手段１１による報知を停止する。
【００２９】
そこで、予約設定確定手段５により制御手段１０に信号が送られると、制御手段１０は記憶手段１０ａと予約時刻設定手段４により設定された時刻を比較し、予約炊飯設定可能時間であるかを再度確認し、予約炊飯設定を確定する。
【００３０】
このように本実施例によれば、予約時刻設定手段４により設定中の時刻が予約時刻設定可能でない場合、報知手段１１により報知することにより、予約炊飯設定時刻が予約炊飯設定可能時間から外れていることを聴覚的にも使用者に知らせることができ、誤操作を改善することができる。
【００３１】
【発明の効果】
以上のように本発明の請求項１に記載の発明によれば、指定時刻に炊飯を行う予約炊飯動作を制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段と外部に注意を促す注意表示手段を有する表示手段とを備え、前記制御手段は、予約設定開始手段から制御手段へ信号が伝達された時刻を記憶する記憶手段を有し、その時刻から予約時刻設定手段により設定中の時刻までが予約時刻設定が可能でない場合、前記注意表示手段に注意表示をするようにしたから、予約時刻設定手段により設定中の時刻が予約時刻設定可能でない場合、注意表示手段に表示をすることにより、予約炊飯可能時間を外れているということを使用者に知らせることができ、誤操作を改善することができる。
【００３２】
また、請求項２に記載の発明によれば、表示手段は、時刻を表示する時刻表示手段と予約時刻設定可能な時間を表示する設定可能時刻表示手段を備え、予約時刻設定中に、予約設定開始手段から制御手段へ信号が伝達された時刻に対し、予約時刻設定可能な時間を前記設定可能時刻表示手段に表示するようにしたから、予約時刻設定中に、予約設定時刻を時刻表示手段に表示し、予約時刻設定可能な時間を設定可能時刻表示手段に表示することにより、予約炊飯設定可能時間を使用者に知らせることができ、誤操作を改善することができる。
【００３３】
また、請求項３に記載の発明によれば、外部に音で報知する報知手段を備え、予約設定開始手段から制御手段へ信号が伝達された時刻に対し、予約時刻設定手段により設定中の時刻が予約時刻設定可能でない場合、前記報知手段により報知するようにしたから、予約炊飯設定時刻が予約炊飯設定可能時間から外れていることを聴覚的にも使用者に知らせることができ、誤操作を改善することができる。
【図面の簡単な説明】
【図１】本発明の第１の実施例の炊飯器の要部ブロック図
【図２】本発明の第２の実施例の炊飯器の要部ブロック図
【図３】本発明の第３の実施例の炊飯器の要部ブロック図
【図４】従来の炊飯器の要部ブロック図
【符号の説明】
３　予約設定開始手段
４　予約時刻設定手段
５　予約設定確定手段
６　制御手段
６ａ　記憶手段
７　表示手段
７ａ　時刻表示手段
７ｂ　注意表示手段
【図１】
2004008299.tif 000003
【図２】
2004008299.tif 000004
【図３】
2004008299.tif 000005
【図４】
2004008299.tif 000006